【手続補正書】
【提出日】平成28年1月4日(2016.1.4)
【手続補正１】
【補正対象書類名】特許請求の範囲
【補正対象項目名】全文
【補正方法】変更
【補正の内容】
【特許請求の範囲】
【請求項１】
オーディオ及びビデオストリームを有するビデオ及びオーディオベースの第１のメディアサービスと少なくとも１つのオーディオストリームを有する１つ又は複数の第２のメディアサービスとを同期させるための方法であって、前記第１のメディアサービスのオーディオストリームは前記第２のメディアサービスのオーディオストリームに対応しており、
前記第１のメディアサービスを受信するステップと、
少なくとも１つの第２のメディアサービスを受信するステップと、
前記第１及び第２のメディアサービスのオーディオストリームの再生を同期させるステップと、
前記第１及び第２のメディアサービスのオーディオストリームの再生の現在の同期状態のステータスインジケータを表示するステップと、
を含む、前記方法。
【請求項２】
前記同期状態が変化した場合に前記ステータスインジケータを更新するステップを更に含む、請求項１に記載の方法。
【請求項３】
前記第２のメディアサービスのうちの１つを再生のために選択するステップを更に含む、請求項１に記載の方法。
【請求項４】
ディスプレイを搭載したモバイルデバイスをテレビジョン受像機に接続するステップを更に含む、請求項１に記載の方法。
【請求項５】
前記第１のメディアサービスのオーディオストリームに対応する第２のメディアサービスを電子番組ガイド（ＥＰＧ）で検索するステップを更に含む、請求項１に記載の方法。
【請求項６】
前記電子番組ガイド（ＥＰＧ）から前記第２のメディアサービスのプロパティを表すデータをインポートするステップを更に含む、請求項５に記載の方法。
【請求項７】
前記第２のメディアサービスのうちの１つのプロパティを示す情報を表示するステップを更に含む、請求項６に記載の方法。
【請求項８】
前記第１および第２のメディアサービスの再生を手動で同期させるステップを更に含む、請求項１に記載の方法。
【請求項９】
前記第１及び第２のメディアサービスの再生を自動的に同期させるステップを更に含む、請求項１に記載の方法。
【請求項１０】
前記第２のメディアサービスに含まれるオーディオフィンガープリント、メタデータ、及び／又はタグを自動同期のために使用するステップを更に含む、請求項９に記載の方法。
【請求項１１】
ディスプレイ上にスライダーのグラフィカル表現を表示するステップと、
前記第１及び第２のメディアサービスの手動の同期を得るために前記スライダーの位置を調整するステップと、
を更に含む、請求項８に記載の方法。
【請求項１２】
前記第１のメディアサービスと前記第２のメディアサービスとの間の同期を得るために決定されたパラメータを格納するステップを更に含む、請求項９から１１のいずれかに記載の方法。
【請求項１３】
インターネット、ケーブルネットワーク、衛星放送、地上波放送、ＤＳＬネットワーク、またはＷＬＡＮネットワークを介して前記第１及び第２のメディアサービスを提供するステップを更に含む、請求項１に記載の方法。
【請求項１４】
前記第２のメディアサービスの再生のために代替出力を選択するステップを更に含む、請求項１に記載の方法。
【手続補正２】
【補正対象書類名】明細書
【補正対象項目名】００２９
【補正方法】変更
【補正の内容】
【００２９】
自宅１３０のユーザーはテレビ１３１を持っている。テレビ１３１はセットトップボックス１３２と接続されていても良く、接続されていなくても良い。これは、ユーザーが自宅でテレビ放送を受信する方法によって異なる。受信は、衛星放送受信アンテナ１３３や地上波受信用の屋外アンテナ１３４によって達成することが可能である。加えて、自宅は、ケーブルネットワーク１１４への接続と、例えばケーブルネットワーク接続を介したインターネット１１５への接続を有している。あるいは、インターネット１１５への接続は、ＤＳＬ接続で確立されても良い。自宅１３０では、ユーザーはまた、オーディオデバイス１３５が使用可能であり、ラジオ放送を聞くことが可能である。同様に、テレビ１３１のように、オーディオデバイス１３５は、ラジオ放送を受信するためにさまざまな種類の接続方法がある。本例では、オーディオデバイス１３５は、衛星ラジオ、地上波放送、ケーブルネットワーク１１４および／またはインターネット１１５を介してラジオ番組を受信することが可能である。図１にオーディオデバイス１３５に接続された室内アンテナ１３６が示されている。室内アンテナ１３６は、異なる実施形態においてオーディオデバイス１３５が有しているインターネット、ケーブル、ＤＳＬおよびＷＬＡＮ接続などのすべての有線または無線の他の種類の通信接続を代表している。最後に、ユーザーは自宅１３０でオーディオ及びビデオデバイスを制御するための制御装置１３７を有している。
【手続補正３】
【補正対象書類名】明細書
【補正対象項目名】００３４
【補正方法】変更
【補正の内容】
【００３４】
前述のように、ディスプレイは、その左部分２０６にテレビ１３１の画面の内容を表示している。その右側の部分のウィンドウ２０７は、「追加のオーディオストリーム」というラベル付きで表示されている。ウィンドウ２０７は、ユーザーがウィンドウ２０７で覆われているディスプレイの部分においても、ゲームで何が起こっているのかを見ることができるように半透明である。２人のサッカー選手がウィンドウ２０７の領域に表示されている理由はこのためである。下の領域２０８は現在受信されている放送サービスのロゴを示す左側部分２０９と時間バー２１１を含む右側部分２１０に分割されている。時間バー２１１はその左端でゲームの開始時間、その右端で終了時間を示している。その上にゲーム自体に関する情報を提供するタイトルがある。試合の経過に応じてバーの左端から右端にカーソル２１２が移動する。
【手続補正４】
【補正対象書類名】明細書
【補正対象項目名】００３５
【補正方法】変更
【補正の内容】
【００３５】
図２のウィンドウ２０７は空（「追加のオーディオストリーム」のラベルを除く）であり、特に、図２において二次的なオーディオソースの検索が始まったばかりであるため、追加のオーディオストリームはまだ含まれていない。したがって、「検索中」の表示がウィンドウ２０７に表示される。
【手続補正５】
【補正対象書類名】明細書
【補正対象項目名】００４０
【補正方法】変更
【補正の内容】
【００４０】
図６は、再びタブレットコンピュータ２０１を示しており、図５より後の時点である。追加のオーディオストリームの継続的な探索中にいくつかの詳細が発見され、ウィンドウ２０７内のリストに表示される。リストの一番上に示された合計３つの追加のオーディオストリームは正常に同期できた可能性が有り、ステータスインジケータ５０１「ＯＫ」で標識されている。別の３つの追加のオーディオストリームについて同期プロセスが継続しており、この続く３つの追加のオーディオストリームはステータスインジケータ３０１「試行中」でラベル付けされている。ステータスインジケータは「試行中」は、緑のステータスインジケータ「ＯＫ」から容易に区別できるように灰色で表示される。追加のオーディオストリームの同期処理が正常に行われない場合は、この特定のオーディオストリームは、ステータスインジケータ６０１「失敗」でマークされる。ステータスインジケータ６０１「失敗」が赤色でディスプレイ２０２に表示される。その結果、三つの異なる同期状態、すなわち、緑、灰色、赤の３つの異なる色を有する三つの異なるステータスインジケータが表示される。結果として、ユーザーは非常に迅速にウィンドウ２０７で提示された内容を認識することができる。難しい光の状況下で、これはユーザーが意図しない操作をせずに間違い無くテレビを制御するのに役立つ。これは、高品質なユーザー体験をサポートするための明確な利点である。
【手続補正６】
【補正対象書類名】明細書
【補正対象項目名】００４１
【補正方法】変更
【補正の内容】
【００４１】
ユーザーがＴＶセット１３１の制御装置１３７または第二画面により、追加のオーディオストリームを選択することができる。特定のオーディオストリームを選択するために、ユーザーは単にディスプレイ２０２上のオーディオストリームの名前に触れる。あるいは、第二の画面が利用できない場合、ユーザーは、ＴＶセット１３１のリモートコントロールを使用して、カーソルボタンでカーソルを上下に移動して目的のメディアサービスの名前の上に合わせ、制御装置１３７のＯＫボタンを押してそれを選択することができる。この時点で、追加のオーディオストリームはすでにユーザーに向けて再生される。
【手続補正７】
【補正対象書類名】明細書
【補正対象項目名】００４８
【補正方法】変更
【補正の内容】
【００４８】
本発明に係る２つのメディアサービスを同期させるための方法は、ＴＶ視聴者がそのとき視聴しているチャネルのオーディオストリームを、同じライブイベントを扱っている他のチャンネルで利用可能な別のオーディオストリームに置き換えることを直感的で使いやすく実現している。
本発明は以下の態様を含む。
（付記１）
オーディオ及びビデオストリームを有するビデオ及びオーディオベースの第１のメディアサービスと少なくとも１つのオーディオストリームを有する１つ又は複数の第２のメディアサービスとを同期させるための方法であって、前記第１のメディアサービスのオーディオストリームは前記第２のメディアサービスのオーディオストリームに対応しており、
前記第１のメディアサービスを受信するステップと、
少なくとも１つの第２のメディアサービスを受信するステップと、
前記第１及び第２のメディアサービスのオーディオストリームの再生を同期させるステップと、
前記第１及び第２のメディアサービスのオーディオストリームの再生の現在の同期状態のステータスインジケータ（３０１、５０１、６０１）を表示するステップと、
を含む、前記方法。
（付記２）
前記同期状態が変化した場合に前記ステータスインジケータ（３０１、５０１、６０１）を更新するステップを更に含む、付記１に記載の方法。
（付記３）
前記第２のメディアサービスのうちの１つを再生のために選択するステップを更に含む、付記１に記載の方法。
（付記４）
ディスプレイ（２０２）を搭載したモバイルデバイス（２０１）をテレビジョン受像機（１３１）に接続するステップを更に含む、付記１に記載の方法。
（付記５）
前記第１のメディアサービスのオーディオストリームに対応する第２のメディアサービスを電子番組ガイド（ＥＰＧ）で検索するステップを更に含む、付記１に記載の方法。
（付記６）
前記電子番組ガイド（ＥＰＧ）から前記第２のメディアサービスのプロパティを表すデータをインポートするステップを更に含む、付記５に記載の方法。
（付記７）
前記第２のメディアサービスのうちの１つのプロパティを示す情報を表示するステップを更に含む、付記６に記載の方法。
（付記８）
前記第１および第２のメディアサービスの再生を手動で同期させるステップを更に含む、付記１に記載の方法。
（付記９）
前記第１及び第２のメディアサービスの再生を自動的に同期させるステップを更に含む、付記１に記載の方法。
（付記１０）
前記第２のメディアサービスに含まれるオーディオフィンガープリント、メタデータ、及び／又はタグを自動同期のために使用するステップを更に含む、付記９に記載の方法。
（付記１１）
ディスプレイ上にスライダー（８０１）のグラフィカル表現を表示するステップと、
前記第１及び第２のメディアサービスの手動の同期を得るためにスライダー（８０１）の位置を調整するステップと、
を更に含む、付記８に記載の方法。
（付記１２）
前記第１のメディアサービスと前記第２のメディアサービスとの間の同期を得るために決定されたパラメータを格納するステップを更に含む、付記９から１１のいずれかに記載の方法。
（付記１３）
インターネット（１１５）、ケーブルネットワーク（１１４）、衛星放送、地上波放送、ＤＳＬネットワーク、およびＷＬＡＮネットワークを介して前記第１及び第２のメディアサービスを提供するステップを更に含む、付記１に記載の方法。
（付記１４）
前記第２のメディアサービスの再生のために代替出力を選択するステップを更に含む、付記１に記載の方法。
【手続補正８】
【補正対象書類名】明細書
【補正対象項目名】００４９
【補正方法】変更
【補正の内容】
【００４９】
１０１  画像部分
１０２  カメラ
１０３  光学カメラ部品
１０４  カメラのマイク
１０５  レポーターのマイク
１０６  スタジオルーム
１０７  アップリンクアンテナ
１０８  衛星
１０９  基地局
１１０  衛星放送受信機
１１１  変調器
１１２  送信機
１１３  放送アンテナ
１１４  ケーブルネットワーク
１１５  インターネット
１１６  カメラ
１１７  カメラの光学部品
１１８  カメラのマイク
１１９  レポーターのマイク
１２０  スタジオルーム
１２１  アップリンクアンテナ
１２２  レポーター
１２３  テレビの画面
１２４  マイク
１２５  コンピュータ
１３０  自宅
１３１  テレビ
１３２  セットトップボックス
１３３  衛星放送受信アンテナ
１３４  屋外アンテナ
１３５  オーディオデバイス
１３６  室内アンテナ
１３７  制御装置
２０１  タブレットコンピュータ
２０２  ディスプレイ
２０３  筐体
２０４  コントロールボタン
２０６  ディスプレイ２０２の左側部分
２０７  ウィンドウ
２０８  底部領域
２０９  左側部分
２１０  右側部分
２１１  時間バー
２１２  カーソル
３０１  ステータスインジケータ「試行中」
４０１  同期装置
４０２  遅延線
４０３  処理システム
５０１  ステータスインジケータ「ｏｋ」
６０１  ステータスインジケータ「失敗」
７０１  「確認」
７０２  「リストに戻る」
８０１  スライダー
８０２  オーケーボタン